(57)【要約】      （修正有）【課題】両方の建物が異なる前後方向に揺れ動いても、目地部の通路が狭くなることなく、かつ目地プレートも重くなることなく、スムーズにスライド移動させることができる床用目地装置を得る。【解決手段】一方の建物６の目地部２側に内壁３，３によって形成された通路４および外壁５，５が形成された部位の床面に形成された目地部の間隔Ｌのほぼ２倍の支持凹部９と、他方の建物８の目地部側の床躯体８ａに取付けられたガイドレール１１と、先端部が支持凹部９のほぼ中央部に移動可能に支持された目地プレート１３と、目地プレート１３の先端部および支持凹部９を覆うカバープレート１５と、目地プレート１３の後端部寄りの部位に取付けられたピニオン２４、このピニオン２４と噛み合う前記一方の建物６の目地部側床躯体６ａ、他方の建物の目地部側床躯体８ａに枢支された一対のラック２７，２７を備える中心維持機構１６とで床用目地装置１Ａ，１Ｂを構成する。【選択図】図１
2005163360.tif 000002
【特許請求の範囲】
【請求項１】
一方の建物の目地部側に内壁によって形成された通路および、該通路を形成する内壁の外側に、該内壁間の寸法のほぼ半分の寸法部位にそれぞれ外壁が形成された部位の床面に形成された目地部の間隔のほぼ２倍の支持凹部と、この支持凹部が形成された部位と目地部を介して対応する、他方の建物の目地部側の床躯体にほぼ水平方向にガイドできるように取付けられたガイドレールと、このガイドレールに後端部がスライド移動可能に支持され、先端部が前記支持凹部のほぼ中央部に移動可能に支持された両側部が、前記内壁と外壁とのほぼ中央部に位置する寸法に形成された目地プレートと、この目地プレートの移動が可能に、該目地プレートの先端部および前記支持凹部を覆うカバープレートと、前記目地プレートの後端部寄りの部位に取付けられたピニオン、このピニオンと噛み合う前記一方の建物の目地部側床躯体、前記他方の建物の目地部側床躯体に枢支された一対のラックを備える中心維持機構とからなることを特徴とする床用目地装置。
【請求項２】
一方の建物の目地部側に内壁によって形成された通路および、該通路を形成する内壁の外側に、該内壁間の寸法のほぼ半分の寸法部位にそれぞれ外壁が形成された部位の内壁の下部にそれぞれ形成された目地部の間隔のほぼ２倍の切欠部と、この切欠部が形成された部位と目地部を介して対応する、他方の建物の目地部側の床躯体にほぼ水平方向にガイドできるように取付けられたガイドレールと、このガイドレールに後端部がスライド移動可能に支持され、先端部が前記切欠部のほぼ中央部まで挿入され、床面上を移動可能に支持された両側部が、前記内壁と外壁とのほぼ中央部に位置する寸法に形成された目地プレートと、この目地プレートの移動が可能に、前記切欠部を覆うカバープレートと、前記目地プレートの後端部寄りの部位に取付けられたピニオン、このピニオンと噛み合う前記一方の建物の目地部側床躯体、前記他方の建物の目地部側床躯体に枢支された一対のラックを備える中心維持機構とからなることを特徴とする床用目地装置。
【発明の詳細な説明】
【技術分野】
【０００１】
本発明は目地部を介して設けられた左右の建物を連通する通路を形成する部位の床用目地装置に関する。
【背景技術】
【０００２】
従来、この種の床用目地装置は一方の建物の目地部側床躯体にほぼ水平方向に固定されたガイドレールと、このガイドレールに後端部がスライド移動可能に支持され、先端部が他方の建物の目地部側通路の床面上を左右方向にスライド移動可能に支持された目地プレートとで構成されている。
【０００３】
このため、目地プレートの幅寸法は他方の建物の床面の幅寸法と同じ幅寸法であるため、両方の建物が異なる前後方向に揺れ動いた場合には、他方の建物の通路の両端部のいずれか一方側の床面に隙間が生じたり、他方の建物の通路の一方の端部側が目地プレート以外の部位に開口してしまうという欠点があった。
この欠点を解消するために、目地プレートの両側にカバープレートを設けたり、他方の建物の通路側をスライド移動時に塞ぐＬ字状のカバープレートを設置することも行なわれているが、通路が狭くなったり、目地プレートが重くなり、スムーズな移動を確保することができなくなるという欠点があった。
【特許文献１】なし
【発明の開示】
【発明が解決しようとする課題】
【０００４】
本発明は以上のような従来の欠点に鑑み、両方の建物が異なる前後方向に揺れ動いても、目地部の通路が狭くなることなく、かつ目地プレートも重くなることなく、スムーズにスライド移動させて、地震等の揺れ動きを損傷することなく吸収することができる床用目地装置を提供することを目的としている。            
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の目地部側に内壁によって形成された通路および、該通路を形成する内壁の外側に、該内壁間の寸法のほぼ半分の寸法部位にそれぞれ外壁が形成された部位の床面に形成された目地部の間隔のほぼ２倍の支持凹部と、この支持凹部が形成された部位と目地部を介して対応する、他方の建物の目地部側の床躯体にほぼ水平方向にガイドできるように取付けられたガイドレールと、このガイドレールに後端部がスライド移動可能に支持され、先端部が前記支持凹部のほぼ中央部に移動可能に支持された両側部が、前記内壁と外壁とのほぼ中央部に位置する寸法に形成された目地プレートと、この目地プレートの移動が可能に、該目地プレートの先端部および前記支持凹部を覆うカバープレートと、前記目地プレートの後端部寄りの部位に取付けられたピニオン、このピニオンと噛み合う前記一方の建物の目地部側床躯体、前記他方の建物の目地部側床躯体に枢支された一対のラックを備える中心維持機構とで床用目地装置を構成している。
【発明の効果】
【０００７】
以上の説明から明らかなように、本発明にあっては次に列挙する効果が得られる。
【０００８】
（１）両側部が内壁と外壁とのほぼ中央部に位置する寸法の目地プレートを用いているので、必要以上に大きくなったり、重くなったりすることなく、スムーズに目地プレートを前後左右方向にスライド移動させることができる。
したがって、損傷することなく、耐久性の向上を図ることができる。
【０００９】
（２）両方の建物が異なる前後方向に揺れ動いた場合には、目地プレートが中心維持機構によって前後方向に移動させられるため、内壁間に目地プレートが位置するように移動させることができる。
したがって、従来のように目地プレートの移動によって隙間が生じて危険になったりするのを確実に防止することができるとともに、目地部の通路の幅寸法が小さくなったりするのを確実に防止することができる。
【００１０】
（３）前記（１）、（２）によって、構造が簡単であるので、容易に設置することができる。
【００１１】
（４）請求項２も前記（１）〜（３）と同様な効果が得られる。
【発明を実施するための最良の形態】
【００１２】
以下、図面に示す本発明を実施するための最良の形態より、本発明を詳細に説明する。
【００１３】
図１ないし図１０に示す本発明を実施するための最良の第１の形態において、１は目地部２側に内壁３、３によって形成される通路４および、該通路４を形成する内壁３、３の外側に、該内壁３、３間の寸法のほぼ半分の寸法部位にそれぞれ外壁５、５が形成された一方の建物６と、この一方の建物６の通路４と目地部２を介して対応する部位に通路７が形成された、他方の建物８との通路４、７を連通する本発明の床用目地装置で、この床用目地装置１は前記一方の建物６の目地部側の外壁５、５間で、前記目地部の間隔Ｌのほぼ２倍の寸法部位に形成された支持凹部９と、この支持凹部９が形成された部位と対応する他方の建物８の目地部側の床躯体８ａにほぼ水平方向にガイドできるように複数個のビス１０等で固定的に取付けられたガイドレール１１と、このガイドレール１１に後端部がスライド移動可能に支持され、先端部が前記支持凹部９あるいは該支持凹部９を覆う支持金具１２のほぼ中央部に移動可能に支持された両側部が前記内壁３、３と外壁５、５とのほぼ中央部に位置する寸法に形成された目地プレート１３と、この目地プレート１３の移動が可能に、該目地プレート１３の先端部および前記支持凹部９を覆うように床躯体６aに複数本の皿ビス１４等によって固定されるカバープレート１５と、前記目地プレート１３を前記両方の建物６、８が地震等によって異なる前後方向に揺れ動いた場合に、前後方向にスライド移動させる中心維持機構１６とで構成されている。
【００１４】
前記目地プレート１３は図５および図６に示すように、角パイプ材で格子状に形成されたフレーム１７と、このフレーム１７の上面を覆うように、溶接あるいは多数本のビス等によって固定された目地カバー１８と、前記フレーム１７の後端下部に取付けられた前記ガイドレール１１にガイドして移動する複数個のローラー１９と、前記フレーム１７の先端下部に取付けられた、前記支持凹部９上を前後左右方向に移動可能に取付けられた複数個のローラー２０とで構成されている。
【００１５】
前記中心維持機構１６は図４および図７に示すように、前記目地プレート１３のフレーム１７のほぼ中央部に左右方向にガイドできるように取付けられたガイド２１と、このガイド２１にスライド移動可能に取付けられたスライダー２２と、このスライダー２２に取付けられた下方へ突出する軸２３と、この軸２３に回転可能に取付けられたピニオン２４と、このピニオン２４と噛み合うように前記軸２３に取付けられたホルダー２５にスライド移動可能に先端部寄りの部位が支持され、後端部が一方の建物６の目地部側床躯体６ａ、他方の建物８の目地部側床躯体８ａに枢支ピン２６、２６で枢支された一対のラック２７、２７とで構成されている。
【００１６】
２８、２８は前記一方の建物６の内壁３、３の目地部側端部と、前記他方の建物８の通路７の目地部側端部の壁面８ｂ、８ｂとにヒンジ部材２９、２９、２９、２９を介して伸縮可能に取付けられた内壁用目地装置で、この内壁用目地装置２８、２８は上記機能を有する公知、公用になっているものであればどんな構造のものを用いてもよいが、好ましくは下端部が目地プレートに支持されない構造のものを用いると、よりスムーズに目地プレート１３を移動させることができる。
【００１７】
３０、３０は前記一方の建物６の外壁５、５の目地部側端部と、この端部と対応する部位の、前記他方の建物８の通路７の外側部位の壁面８ｂ、８ｂにヒンジ部材３１、３１、３１、３１を介して伸縮可能に取付けられた外壁用目地装置で、この外壁用目地装置３０、３０は上記機能を有する公知、公用になっているものであれば、どんな構造のものを用いてもよい。
【００１８】
上記構成の床用目地装置１は、地震等によって両方の建物６、８が異なる左右方向に揺れ動いた場合には、図８に示すように目地プレート１３の先端部が支持凹部９内を左右方向にスライド移動して、その揺れ動きを吸収する。
【００１９】
また、両方の建物６、８が異なる前後方向に地震等によって揺れ動いた場合には、図９および図１０に示すように、目地プレート１３は中心維持機構１６によって前後方向にスライド移動させるが、目地プレート１３の両側部が内壁３、３間の寸法のほぼ半分の寸法が通路４、７の両側より外方へ突出しているため、通路４、７間を連通する目地プレート１３部位の目地部通路３２には隙間が生じることなく、目地部２を覆った状態を保つことができる。
[発明を実施するための異なる形態]
【００２０】
次に、図１１ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１１ないし図１４に示す本発明を実施するための第２の形態において、前記本発明を実施するための最良の第１の形態と主に異なる点は、内壁３、３の下部にそれぞれ形成された目地部の間隔のほぼ２倍の切欠部３３、３３と、この切欠部３３、３３が形成された部位の床面に目地プレート１３の先端部を移動可能に支持させ、後端部が傾斜面３４に形成されたカバープレート１５Ａで目地プレート１３の先端部を覆った点で、このように構成した床用目地装置１Ａにしても、前記本発明を実施するための最良の第１の形態と同様な作用効果が得られる。
【００２２】
図１５ないし図１８に示す本発明を実施するための第３の形態において、前記本発明を実施するための最良の第１の形態と主に異なる点は、波板を用いた目地カバー１８Ａの後端部および先端部の床面に補強板３５、３５を溶接等によって固定し、該補強板３５、３５に複数個のローラー１９、２０をそれぞれ取付けた目地プレート１３Ａを用いた点で、このような目地プレート１３Ａを用いて構成した床用目地装置１Ｂにしても、前記本発明を実施するための最良の第１の形態と同様な作用効果が得られる。
【産業上の利用可能性】
【００２３】
本発明は床用目地装置を製造する産業および、これを設置する産業で利用される。
【図面の簡単な説明】
【００２４】
【図１】本発明を実施するための最良の第１の形態の平面図。
【図２】図１の２−２線に沿う断面図。
【図３】図１の３−３線に沿う断面図。
【図４】本発明を実施するための最良の第１の形態の底面図。
【図５】本発明を実施するための最良の第１の形態の目地プレートの斜視図。
【図６】本発明を実施するための最良の第１の形態の目地プレートの底面図。
【図７】本発明を実施するための最良の第１の形態の中心維持機構の説明図。
【図８】本発明を実施するための最良の第１の形態の異なる左右方向の動作説明図。
【図９】本発明を実施するための最良の第１の形態の異なる前後方向の一方への動作説明図。
【図１０】本発明を実施するための最良の第１の形態の異なる前後方向の他方への動作説明図。
【図１１】本発明を実施するための第２の形態の平面図。
【図１２】図１１の１２−１２線に沿う断面図。
【図１３】図１１の１３−１３線に沿う断面図。
【図１４】図１１の１４−１４線に沿う断面図。
【図１５】本発明を実施するための第３の形態の平面図。
【図１６】図１５の１６−１６線に沿う断面図。
【図１７】図１５の１７−１７線に沿う断面図。
【図１８】本発明を実施するための第３の形態の目地プレートの説明図。
【符号の説明】
【００２５】
１、１Ａ、１Ｂ：床用目地装置、２：目地部、
３：内壁、                    ４：通路、
５：外壁、                    ６：一方の建物、
７：通路、                    ８：他方の建物、
Ｌ：目地部の間隔、            ９：支持凹部、
１０：ビス、                  １１：ガイドレール、
１２：支持金具、              １３、１３Ａ：目地プレート、
１４：皿ビス、                １５、１５Ａ：カバープレート、
１６：中心維持機構、          １７：フレーム、
１８、１８Ａ：目地カバー、    １９：ローラー、
２０：ローラー、              ２１：ガイド、
２２：スライダー、            ２３：軸、
２４：ピニオン、              ２５：ホルダー、
２６：枢支ピン、              ２７：ラック、
２８：内壁用目地装置、        ２９：ヒンジ部材、
３０：外壁用目地装置、        ３１：ヒンジ部材、
３２：目地部通路、            ３３：切欠部、
３４：傾斜面、                ３５：補強板。
【図１】
2005163360.tif 000003
【図２】
2005163360.tif 000004
【図３】
2005163360.tif 000005
【図４】
2005163360.tif 000006
【図５】
2005163360.tif 000007
【図６】
2005163360.tif 000008
【図７】
2005163360.tif 000009
【図８】
2005163360.tif 000010
【図９】
2005163360.tif 000011
【図１０】
2005163360.tif 000012
【図１１】
2005163360.tif 000013
【図１２】
2005163360.tif 000014
【図１３】
2005163360.tif 000015
【図１４】
2005163360.tif 000016
【図１５】
2005163360.tif 000017
【図１６】
2005163360.tif 000018
【図１７】
2005163360.tif 000019
【図１８】
2005163360.tif 000020